(57)【要約】【課題】  漏水量を無動力・無電源・無操作で簡単に測定でき、製作容易な漏水量計測装置及び方法を提供する。【解決手段】  ダム漏水を１：漏斗で捕集し２：脱泡槽で脱泡した漏水を２：脱泡槽下部から３：計量槽下部に導き、計量槽側面に開けられた多段の４：放流口を備える。３：計量槽に流入した漏水量に応じた分だけ水位が上昇し最下端の放流口から順番に放水される。放流口から放流される水量より漏水量が多い場合、更に計量槽の水面が上昇し最下端の放流口に掛る水圧が上昇し放流水を増す。それにも関わらず漏水量が多く水面が上昇すると次の段の放流口から放水する。このような状態を繰返し、やがて放流口から放流する数と流入する漏水量とがバランスする。  従って、放流している放流口の数を数えることによって正確に流量を知ることが出来る。【選択図】図５
2014048214.tif 000002
【特許請求の範囲】
【請求項１】
ダム堤体からの漏水を堤体内に埋設されている排水管の水位及び圧力を変動させない方法で捕集できる漏斗有し、捕集した漏水を脱泡と水位の安定をはかる目的の脱泡槽から計量槽に漏水を送り、計量槽に設けられた複数の放水口を備えることを特徴とする漏水量計測装置。
【請求項２】
請求項１に記載の漏水量計測装置の計量槽内部にフロートを有し、フロートの上部に目盛付表示棒を固定、目盛を直接読み取ることによって水の量を計測することを特徴とする漏水量計測方法。
【発明の詳細な説明】
【技術分野】
【０００１】
本発明は、ダム漏水量を目視により容易に測定出来る漏水量計測装置及びその方法に関するものである。
【背景技術】
【０００２】
ダム漏水の計測はダムの安全管理上必要不可欠な事項で漏水量の変化を定期的に観測する必要がある。
【０００３】
従来は、図１のように２０リットルのペール缶に漏水を捕捉し満水になる時間を計測することによって単位時間当たりの漏水量を計測していた。しかし、この方法ではダム堤体漏水排出口がダム堤体最下部にあり、そのほとんどはダム放流水路に合流する位置に設置されている。このことから上記の方法で水量を測定するに当たり足元が悪く危険が伴う作業であった。
【先行技術文献】
【特許文献】
【０００４】
【特許文献１】特開２００９−２５１５６号公報
【発明の概要】
【発明が解決しようとする課題】
【０００５】
本発明は、このような課題に対して、ダム漏水量を簡単且つ正確に計測する漏水量計量器及びその方法を提供することを目的とする。
【課題を解決するための手段】
【０００６】
第１の発明は、図５の通り漏水を漏斗で受け脱泡槽に受け入れ脱泡槽下部から計量槽に漏水を導き計量槽の側面に開けられた穴から、つまり放流口から漏水を吐き出す構造を備えることを特徴とする漏水量計測装置である。
【０００７】
第２の発明は、第１の発明に記載の漏水量計測装置であって、計量槽内部にフロートを設けフロートの上部に目盛を刻んだ計量棒を接続し計量槽の上部に突き出し、計量槽上部に取り付けられた目盛読取位置で流量を読み取ることが出来る構造を備えることを特徴とする漏水量計量装置である。
【０００８】
第３の発明は、第１の発明及び第２の発明に記載の漏水量計測装置であって、前記計量槽の穴の間隔寸法及び穴のサイズを任意に変えることによって同一装置であっても目盛の途中で目盛幅を自由に設定することが出来る構造を備えることを特徴とする漏水量計測装置である。
【０００９】
例えば、通常漏水量を目盛の中央にとると最大目盛は中央目盛の２倍になる。しかし、実際には通常漏水量の１０倍もの漏水まで計量したいが通常流量付近は精度よく目盛中央付近で読みたい場合がある。この場合は、中央目盛より上部の放水口のサイズを大きくし、更にゲージアップしたい場合には間隔を狭めることによって容易に実現可能なのが本発明の漏水量計測装置である。
【発明の効果】
【００１０】
本発明によれば、漏水量を簡易かつ正確に計測する漏水量計測装置及び方法を提供することが出来る。
【図面の簡単な説明】
【００１１】
【図１】図１は数１に記載されている計算式によって算出された表１のデータをグラフにしたものである。
【図２】図２は従来の漏水量計測実施方法を示した図面代用写真である。
【図３】図３は脱泡槽に水道水を入れ放流口のサイズ及び間隔から数１の式で計算された通りに、放流するかを検証している図面代用写真である。
【図４】図４は実際に現場の漏水量を従来の方法で測定した結果をもとに製作実験した時の図面代用写真である。
【図５】図５は請求項１に掲げる漏水量計測装置の構成を示す図である。
【図６】図６は請求項２に掲げる漏水量計測装置の構成を示す図である。
【発明を実施するための形態】
【００１２】
図５は、本発明の一実施形態である請求項１に掲げる漏水量計測装置の構成を示す図である。同図に示される通り、１：漏斗、２：脱泡槽、３計量槽、と複数の４：放流口等を備える。
【００１３】
ダム漏水量を計量するため、ダム漏水管等に圧力や水位の上昇を与えないように、ある一定の落差空間保つ目的で１：漏斗を設け漏水を受け入れる構造を有している。しかし落差を設け受水する場合、水面が泡立ち計量を阻害するので２：脱泡槽で水中の泡を取り除き安定した水圧で３：計量槽に漏水を送る機能を有している。
【００１４】
３：計量槽に設けられている放流口は、予め計算されたサイズと間隔で加工されているので３：計量槽に流入した漏水量に応じた分だけ水位が上昇し最下端の放流口から順番に放水される。この時、放流口サイズにより数１に示される放流抵抗を受ける。放流口から放流される水量より漏水量が多い場合、更に計量槽の水面が上昇し最下端の放流口に掛る水圧が上昇し放流水を増す。それにも関わらず漏水量が多く水面が上昇すると次の段の放流口から放水する。このような状態を繰返し、やがて放流口から放流する数と流入する漏水量とがバランスする。  従って、放流している放流口の数を数えることによって正確に流量を知ることが出来る。
【００１５】
本発明は、その構造上漏水吐出口から本装置の最下端、つまり２：脱泡槽から３計量槽へ送水する位置がともに下部で連絡しているので漏水出口と計量装置の下端までは計量に必要十分な距離が必要である。
【００１６】
次に、請求項２に示す計量方法を説明する。
図６は、本発明の一実施形態である請求項２に掲げる漏水量計測装置の構成を示す図である。同図に示される通り、１：漏斗、２：脱泡槽、３計量槽、と複数の４：放流口等を備える請求項１に加え、５：フロート、６：目盛付表示棒、７：目盛読取位置等を備えた漏水量計測装置である。
【００１７】
図６に示す通り、３：計量槽の水面が漏水流入量にバランスする位置まで上昇することによって５：フロートが水面に追従し上下する。同時に３：計量槽上に貫通している６：目盛付表示棒も上下し表示棒に刻まれている数値を７：目盛読取位置で読み取ることによって流量を正確に知ることが可能となる。
【実施例】
【００１８】
数１と表１及び図１は、本発明装置の１実施例を実現するための基礎となる資料である。
数１に代入する管の内径つまり放流口サイズは最低漏水流量から決定し、流量口の個数は想定最大流量から求められる。
【００１９】
数１に示される式に放流口のサイズと放流口間隔を代入することによって表１の計算値が求められる。図１は表１をグラフにした図であって、放流口から放流される段数対流量を直読できる。
【００２０】
図５に示された漏水量計測装置では放流口から放出される放流口の数から図１のグラフを使うことによって簡単に流量を計測できる。
【００２１】
図６は計量棒に記載された数値を７：目盛読取位置で読むことによって図１のグラフを使用せずに簡単に流量を測定できる。
【００２２】
【数１】
2014048214.tif 000003
【表１】
2014048214.tif 000004
【００２３】
上記の数式において、表１に示したように、放流口から放流する水量は放流口のサイズと動水勾配で計算される圧力によって決まり、且つ放流口のそれぞれの水面位置からの距離の差で放流水量は決まる。従って図１のグラフの何段目までの放流口から放流しているかで合計数値を読み取れ、漏水水量を簡単に計測できる。
【００２４】
さらに、図６の計測装置は７：目盛読取位置で６：目盛付表示棒に刻まれた数値を直読できるから図１のグラフを使用せずとも簡単に計測できるという利点がある。
【産業上の利用可能性】
【００２５】
本発明の計測装置は経済的且つ簡単に製作可能なことから、応用範囲が広く、アースダムに限らずコンクリートダムやその他の構築物の漏水測定用途にも適用できる。なお、以上の簡単な説明は、本発明の理解を容易にするためのものであり、本発明を限定するものでない。本発明はその趣旨を逸脱することなく、変更、改良され得ると共に本発明にはその等価物が含まれることは勿論である。
【符号の説明】
【００２６】
１：漏斗
２：脱泡槽
３：計量槽
４：放流口
５：フロート
６：目盛付表示棒
７：目盛読取位置
【図１】
2014048214.tif 000005
【図２】
2014048214.tif 000006
【図３】
2014048214.tif 000007
【図４】
2014048214.tif 000008
【図５】
2014048214.tif 000009
【図６】
2014048214.tif 000010